(57)【要約】      （修正有）【課題】包装状態を形成する作業を好適に行うことができるようにした包装用袋を提供する。【解決手段】紙製の包装用袋を、正面視において略矩形状をなす前紙１１とこの前紙と略同一形状をなす後紙１２とを有し、これら前紙及び後紙における下端縁同士、左の側端縁同士、及び、右の側端縁同士が接続されており、前紙と後紙との間に物品を収容可能な収容空間が形成され得るように構成された袋本体１と、前紙及び後紙における左半部又は右半部の何れか一方の上端縁から延出した延出片２とを備えてなるものとし、略正四面体の形状をなす包装状態をとり得るように構成されている。【選択図】図４
0003197899.tif 000002
【実用新案登録請求の範囲】
【請求項１】
正面視において略矩形状をなす前紙とこの前紙と略同一形状をなす後紙とを有し、これら前紙及び後紙における下端縁同士、左の側端縁同士、及び、右の側端縁同士が接続されており、前記前紙と後紙との間に物品を収容可能な収容空間が形成され得るように構成された袋本体と、前記前紙及び後紙における左半部又は右半部の何れか一方の上端縁から延出した延出片とを備えてなる紙製の包装用袋であって、
前記左の側端縁における上端と前記右の側端縁の上端とを近接させるとともに前記延出片を前記袋本体の外面に接着することにより、略正四面体の形状をなす包装状態をとり得るように構成されている紙製の包装用袋。
【請求項２】
前記前紙及び後紙における左半部又は右半部の他方の上端縁から延出し、前記包装状態において前記収納空間に配される補助片を備えている請求項１記載の紙製の包装用袋。
【請求項３】
前記延出片及び補助片が、前記袋本体と一体に設けられている請求項２記載の紙製の包装用袋。
【考案の詳細な説明】
【技術分野】
【０００１】
本考案は、種々の物品を収容可能な紙製の包装用袋に関するものである。
【背景技術】
【０００２】
従来から、種々の物品を収容し得る紙製の包装用袋が知られている（例えば特許文献１参照）。
【０００３】
この種の包装用袋においては、物品が包装された包装状態において、見る者に好適な印象を与え得る立体的な形状を形成したものがある。ところが、このようなものは、立体的な形状を実現するために構造が複雑化したり、包装前の状態である包装前状態から包装が完了した状態である包装状態に移行するための作業が直感的に分かり辛かったりするものが殆どであり、必ずしも使用者に対して快適な使用感を与え得るものとはなっていなかった。
【先行技術文献】
【特許文献】
【０００４】
【特許文献１】実開平５−３５６６６号公報
【考案の概要】
【考案が解決しようとする課題】
【０００５】
本考案は、このような課題に着目してなされたものであって、主たる目的は、包装状態を形成する作業を好適に行うことができるようにした包装用袋を提供することにある。
【課題を解決するための手段】
【０００６】
すなわち、本考案は次の構成をなしている。
【０００７】
請求項１に記載の考案は、正面視において略矩形状をなす前紙とこの前紙と略同一形状をなす後紙とを有し、これら前紙及び後紙における下端縁同士、左の側端縁同士、及び、右の側端縁同士が接続されており、前記前紙と後紙との間に物品を収容可能な収容空間が形成され得るように構成された袋本体と、前記前紙及び後紙における左半部又は右半部の何れか一方の上端縁から延出した延出片とを備えてなる紙製の包装用袋であって、前記左の側端縁における上端と前記右の側端縁の上端とを近接させるとともに前記延出片を前記袋本体の外面に接着することにより、略正四面体の形状をなす包装状態をとり得るように構成されている紙製の包装用袋である。
【０００８】
請求項２に記載の考案は、前記前紙及び後紙における左半部又は右半部の他方の上端縁から延出し、前記包装状態において前記収納空間に配される補助片を備えている請求項１記載の紙製の包装用袋である。
【０００９】
請求項３に記載の考案は、前記延出片及び補助片が、前記袋本体と一体に設けられている請求項２記載の紙製の包装用袋である。
【考案の効果】
【００１０】
以上説明したように本考案によれば、包装状態を形成する作業を好適に行うことができるようにした包装用袋を提供することができるものとなる。
【図面の簡単な説明】
【００１１】
【図１】本考案の一実施形態を示す斜視図。
【図２】同実施形態における包装前状態の正面図。
【図３】同実施形態における包装前状態の背面図。
【図４】同実施形態における包装前状態から包装状態に至る過程を説明するための説明図。
【図５】同説明図。
【図６】同説明図。
【図７】同説明図。
【図８】同実施形態における展開図。
【考案を実施するための形態】
【００１２】
以下、本考案の一実施形態を、図面を参照して説明する。
【００１３】
この実施形態は、本考案を、飴玉や小銭等の物品（図示せず）を包装し得る紙製の包装用袋Ａに適用したものである。
【００１４】
包装用袋Ａは、紙製のものであり、物品が封入されて全体として略正四面体の立体的形状をなす包装状態（Ｈ）と、物品が封入される前の状態であるシート状の包装前状態（Ｍ）とを採り得るようになっている。
【００１５】
包装用袋Ａは、図８に示すように、例えば、トムソン抜き型等により所定の形状に打ち抜かれた一枚の紙製のシート体Ｓから作られる。包装用袋Ａは、図８に示すような形状に打ち抜かれたシート体Ｓを、自動製袋機によって所定の箇所で折り曲げるとともに所定の箇所同士を適宜の手段により接着することにより、図２及び図３に示すようなシート状をなす包装前状態（Ｍ）に成形される。シート体Ｓは、後述する袋本体１を形成する部分の側端部及び下端部に貼り付け片ｈ１、ｈ２が一体に延設されており、これら貼り付け片ｈ１、ｈ２を用いて袋本体１を形成している。包装用袋Ａは、包装前状態（Ｍ）において、外部空間と収容空間ｓｐとを連通させ得る開口部Ｋが形成された袋状の形状をなしている。
【００１６】
包装用袋Ａは、上部に開口部Ｋを有するとともに内部に物品を収容するための収容空間ｓｐを有した袋本体１と、この袋本体１の開口部Ｋ付近から突出して設けられた延出片２と、この延出片２と略同じ形状をなし前記袋本体１の開口部付近から突出して設けられた補助片３とを備えている。
【００１７】
詳述すれば、包装用袋Ａは、包装前状態（Ｍ）において、正面視において略矩形状をなす前紙１１とこの前紙１１と略同一形状をなす後紙１２とを有し、これら前紙１１及び後紙１２における下端縁１１ａ、１２ａ同士、左の側端縁１１ｂ、１２ｂ同士、及び、右の側端縁１１ｃ、１２ｃ同士が接続されており、前記前紙１１と後紙１２との間に物品を収容可能な収容空間ｓｐが形成され得るように構成された袋本体１と、前記前紙１１及び後紙１２における左半部１１Ｌ、１２Ｌの上端縁１１ｄ、１２ｄから上方に向かって延出した延出片２と、前記前紙１１及び後紙１２における右半部１１Ｒ、１２Ｒの上端縁１１ｄ、１２ｄから延出し、前記包装状態（Ｈ）において前記収納空間ｓｐに配される補助片３を備えている。なお、前紙１１の左半部１１Ｌ及び後紙１２の左半部１２Ｌとは、図２に示す態様、すなわち、包装前状態（Ｍ）において正面からみた場合における略左半分の領域をいう。また、前紙１１の右半部１１Ｒ及び後紙１２の右半部１２Ｒとは、図２に示す態様、すなわち、包装前状態（Ｍ）において正面からみた場合における略右半分の領域をいう。
【００１８】
包装用袋Ａは、前記左の側端縁１１ｂ、１２ｂにおける上端ｔｌと前記右の側端縁１１ｃ、１２ｃの上端ｔｒとを近接させるとともに前記延出片２を前記袋本体１の外面ｇｍに接着することにより、略正四面体の形状をなす包装状態（Ｈ）をとり得るように構成されている。
【００１９】
前記延出片２は、片状のものであり、包装状態（Ｈ）において、袋本体１との境界部分ｂ１において折り曲げられ、袋本体１の外面ｇｍすなわち前紙１１における右半部１１Ｒの上部及び後紙１２における右半部１２Ｒの上部の外面ｇｍに適宜の手段により接着されるものである。延出片２は、袋本体１と一体に連続して設けられている。この実施形態では、図２及び図３に示すように、延出片２が、袋本体１における前紙１１の左半部１１Ｌ及び後紙１２の左半部１２Ｌから上方に向かって延出している。つまり、延出片２は、図２に示すように、包装前状態（Ｍ）において、正面視における左側に偏って配置されている。延出片２は、前紙１１の左半部１１Ｌから延出した略台形状をなす前片部２１と、後紙１２の左半部１２Ｌから延出した略台形状をなす後片部２２とを備えている。これら前片部２１と後片部２２とは一枚の紙により一体に構成されている。
【００２０】
補助片３は、片状のものであり、包装状態（Ｈ）において、袋本体１との境界部分ｂ２において折り曲げられ、延出片２が袋本体１の外面ｇｍに接着されるよりも前に、収容空間ｓｐに挿入され得るものである。補助片３は、袋本体１と一体に連続して設けられている。この実施形態では、図２及び図３に示すように、補助片３が、袋本体１における前紙１１の右半部１１Ｒ及び後紙１２の右半部１２Ｒから上方に向かって延出している。つまり、補助片３は、図２に示すように、包装前状態（Ｍ）において、正面視における右側に偏って配置されている。補助片３は、前紙１１の右半部１１Ｒから延出した略台形状をなす前補助片部３１と、後紙１２の右半部１２Ｒから延出した略台形状をなす後補助片部３２とを備えている。これら前補助片部３１と後補助片部３２とは一枚の紙により一体に構成されている。
【００２１】
なお、上述した延出片２と補助片３は、袋本体１に対して略左右対称に配されているものである。この実施形態では延出片２を袋本体１に対して左側に位置しているものとして説明しているが、かかる態様に限定されるものではないのはもちろんのことである。例えば、延出片２を袋本体１に対して右側に位置させたものとしてもよい。これと同様に、この実施形態では補助片３を袋本体１に対して右側に位置しているものとして説明しているが、かかる態様に限定されるものではないのはもちろんのことである。例えば、補助片３を袋本体１に対して左側に位置させたものとしてもよい。
【００２２】
次いで、この包装用袋Ａに関し、図２及び図３に示す包装前状態（Ｍ）から図１及び図７に示す包装状態（Ｈ）に移行する一態様を、図４〜７を参照して説明することとする。
【００２３】
まず、図４に示すように、袋本体１の開口部Ｋを開いて、物品を収容空間ｓｐに投入する。より具体的に言えば、前紙１１及び後紙１２における左の側端縁１１ｂ、１２ｂの上端ｔｌと前紙１１及び後紙１２における前記右の側端縁１１ｃ、１２ｃの上端ｔｒとを相寄る方向に近接させることにより、袋本体１の開口部Ｋを開かせて、物品を収容空間ｓｐに投入可能な形状とする。
【００２４】
次いで、図５に示すように、補助片３を袋本体１との境界部分ｂ１において折り曲げて、補助片３を収容空間ｓｐ内に挿入する。このようにすることで、前紙１１及び後紙１２における右半部１１Ｒ、１２Ｒの上端縁１１ｄ、１２ｄ付近（境界部分ｂ１付近）は、補助片３と袋本体１の一部が重ね合わされることになり、開口部Ｋの形状が安定するものとなる。このため、収容空間ｓｐ内に物品を投入し易くなるのみならず、この後に行われる延出片２の袋本体１に対する接着作業が実行し易いものとなる。
【００２５】
しかる後に、図６に示すように、前紙１１及び後紙１２における左の側端縁１１ｂ、１２ｂにおける上端ｔｌと、前紙１１及び後紙１２おける右の側端縁１１ｃ、１２ｃの上端ｔｒとを略接する位置にまで近接させる。換言すれば、補助片３と袋本体１との境界部分ｂ２を対向する延出片２と袋本体１との境界部分ｂ１に近接させる。この段階で、袋本体１は、初期の状態である平たいシート状をなした包装前状態（Ｍ）から大きく変形し、立体的な形状をとることになる。
【００２６】
より詳しく言えば、前紙１１及び後紙１２が、包装前状態（Ｍ）における略平板状の形状から可撓変形し、略正四面体の立体的な形状、すなわち、四枚の合同な正三角形を面とする四面体に近似した形状をとることになる。図２に示すように、前紙１１の左半部１１Ｌは、当該前紙１１における上端縁１１ｄの左右方向中間部と下端縁１２ａの左端部とを結ぶ線Ｆ１に沿って屈曲することになる。前紙１１の右半部１１Ｒは、当該前紙１１における上端縁１１ｄの左右方向中間部と下端縁１２ａの右端部とを結ぶ線Ｆ２に沿って屈曲することになる。図３に示すように、後紙１２の左半部１２Ｌは、当該後紙１２における上端縁１２ｄの左右方向中間部と下端縁１２ａの右端部（背面視における右端部）とを結ぶ線Ｆ３に沿って屈曲することになる。後紙１２の右半部１２Ｒは、当該後紙１２における上端縁１２ｄの左右方向中間部と下端縁１２ａの左端部（背面視における左端部）とを結ぶ線Ｆ４に沿って屈曲することになる。
【００２７】
最後に、図７に示すように、延出片２を袋本体１の外面ｇｍに接着することにより、包装用袋Ａは、全体として、略正四面体の形状をなす包装状態（Ｈ）をとることになる。なお、延出片２と袋本体１との接着は、種々の接着手段を適用することができる。例えば、延出片２と袋本体１とを、図１に示すような、接着シールｓｈを介して接着するようにしてもよいし、種々の接着剤により接着するようにしてもよい。或いは、延出片２と袋本体１の何れか一方にスリットを形成し、他方に当該スリットに係わり合う切起片を形成することにより、延出片２と袋本体１とを接着させ得るようにしてもよい。
【００２８】
このように、本実施形態に係る紙製の包装用袋Ａは、正面視において略矩形状をなす前紙１１とこの前紙１１と略同一形状をなす後紙１２とを有し、これら前紙１１及び後紙１２における下端縁１１ａ、１２ａ同士、左の側端縁１１ｂ、１２ｂ同士、及び、右の側端縁１１ｃ、１２ｃ同士が接続されており、前記前紙１１と後紙１２との間に物品を収容可能な収容空間ｓｐが形成され得るように構成された袋本体１と、前記前紙１１及び後紙１２における左半部１１Ｌ、１２Ｌの上端縁１１ｄ、１２ｄから延出した延出片２とを備えてなる。そして、前記左の側端縁１１ｂ、１２ｂにおける上端ｔｌと前記右の側端縁１１ｃ、１２ｃの上端ｔｒとを近接させるとともに前記延出片２を前記袋本体１の外面ｇｍに接着することにより、略正四面体の形状をなす包装状態（Ｈ）をとり得るように構成されている。このため、包装状態（Ｈ）を形成する作業を好適に行うことができるようにした包装用袋Ａを提供することができるものとなる。
【００２９】
つまり、延出片２が、前記前紙１１及び後紙１２における左半部１１Ｌ、１２Ｌの上端縁１１ｄ、１２ｄから延出したものとなっている。換言すれば、延出片２は、袋本体１に対して偏って位置している。このため、使用者は、延出片２の用途及び使用方向を直感的に理解することができ、包装状態（Ｈ）を形成する作業を好適に行うことができるものとなる。
【００３０】
前記前紙１１及び後紙１２における右半部１２の上端縁から延出し、前記包装状態（Ｈ）において前記収納空間ｓｐに配される補助片３を備えている。このため、包装前状態（Ｍ）から包装状態（Ｈ）に移行する過程において、補助片３が袋本体１の開口部Ｋを補強し開口部Ｋの形状を安定化させるものとなる。また、補助片３は、延出片２と同様に、袋本体１に対して偏って位置している。このため、使用者は、補助片３の用途及び使用方向を直感的に理解することができ、包装状態（Ｈ）を形成する作業を好適に行うことができるものとなる。
【００３１】
前記延出片２及び補助片３が、前記袋本体１と一体に設けられているものであるため、袋本体１と一体に取り扱うことができるものとなり、部品点数の増加を好適に抑制することができるものとなる。
【００３２】
なお、本考案は、以上に詳述した実施形態に限られるものではない。
【００３３】
包装用袋は、適宜の大きさに設定することができるものであり、本実施形態に示されるものに限定されるものではない。
【００３４】
補助片は必ずしも必須の構成となるものではない。つまり、本考案は、袋本体と延出片とを備えたものであれば、所期の目的を達成し得るものとなっている。
【００３５】
上述した実施形態では、延出片を袋本体に対して左側に位置させるとともに補助片を袋本体に対して右側に位置させるものとして説明しているが、かかる態様に限定されるものではない。すなわち、延出片を袋本体に対して右側に位置させるとともに補助片を袋本体に対して左側に位置させたものであってもよい。
【００３６】
延出片や補助片を、袋本体と別体に形成し、適宜の方法で袋本体に接続させるように構成したものであってもよい。
【００３７】
その他、各部の具体的構成についても上記実施形態に限られるものではなく、本考案の趣旨を逸脱しない範囲で種々変形が可能である。
【符号の説明】
【００３８】
１…袋本体
２…延出片
３…補助片
１１…前紙
１２…後紙
ｓｐ…収容空間
【図１】
0003197899.tif 000003
【図２】
0003197899.tif 000004
【図３】
0003197899.tif 000005
【図４】
0003197899.tif 000006
【図５】
0003197899.tif 000007
【図６】
0003197899.tif 000008
【図７】
0003197899.tif 000009
【図８】
0003197899.tif 000010